(57)【要約】【課題】片手で作業を行うことができ、かつ各種の用途向けのビットを容易に交換することができ、打撃の力を調節することができるハンマーツールを提供する。【解決手段】ビット１と、ノズル部３にビット１を出退自在に装着する本体胴２と、ビット１を着脱自在に保持するリング体６と、軸心方向へ移動自在なガイドピン７と、ガイドピン７を軸心位置に案内するブッシュ１１と、ガイドピン７を本体胴２の軸心に対して傾斜する姿勢に保持するガイドバネ８と、本体胴２の軸心方向へ移動自在なハンマー１６と、ハンマー１６をガイドピン７に向けて打ち込む打撃用バネ１８と、本体胴２に螺合して軸心方向へ移動し、打撃用バネ１８の反力を受け止める調整ネジ１９と、調整ネジ１９を回転駆動する調整ネジ駆動バー２１と、調整ネジ駆動バー２１の一端を固定保持して本体胴２の軸心回りに回転するキャップ２２とを備えた。【選択図】図１
0003121731.tif 000002
【実用新案登録請求の範囲】
【請求項１】
先端が用途毎に異なる形状をなす各種のビットと、ノズル部にビットを軸心方向へ出退自在に装着する本体胴と、ノズル部内でビットに嵌合してビットを着脱自在に保持するリング体と、ビットに当接して本体胴の軸心方向へ移動自在なガイドピンと、ガイドピンを本体胴の軸心位置に案内するブッシュと、ガイドピンを本体胴の軸心に対して傾斜する姿勢に保持するとともに、ガイドピンをブッシュから離間する方向に押圧するガイドバネと、ガイドピンに当接して本体胴の軸心方向へ移動自在で、軸心位置にガイドピンに遊嵌する打撃用孔を有するハンマーと、ハンマーをガイドピンに向けて打ち込む打撃用バネと、本体胴の内周面に螺合して本体胴の軸心方向へ往復移動し、打撃用バネの反力を受け止める調整ネジと、調整ネジに本体胴の軸心方向で摺動自在に嵌合して調整ネジを回転駆動する調整ネジ駆動バーと、調整ネジ駆動バーの一端を固定保持して本体胴に軸心回りで回転自在に、かつ軸心方向で抜け止め状態に装着したキャップとを備えたことを特徴とするハンマーツール。
【考案の詳細な説明】
【技術分野】
【０００１】
本考案はハンマーツールに関し、対象物にマークを打刻したり、釘の頭部を打撃する作業工具の技術に係るものである。
【背景技術】
【０００２】
従来では、ポンチをハンマー等で打撃することで対象物にポンチ穴を打刻しており、あるいは対象物から飛び出た釘頭に工具の平坦な先端を当てた状態で工具をハンマー等で打撃することで対象物にハンマーの打痕を残さずに釘頭を対象物に打ち込んだり、たがねをハンマー等で打撃することでビスの頭をはつり取っている。
【特許文献１】実開平７−３７５７９号公報
【考案の開示】
【考案が解決しようとする課題】
【０００３】
上記した従来のポンチやたがねの工具を使用して作業を行う場合には、一方の手に工具を保持し、他方の手にハンマー等の打撃用の工具を保持して両手で作業を行う必要があり、高所での作業時に手を使って体を支えることができず、無理な姿勢で作業を行うと転落する危険があった。また、工具とハンマー等とを別途に携行するので作業に煩わしさがあった。
【０００４】
特許文献１に開示するものは、ポンチやたがねの工具の機能を有するビット同士をバネで連結し、一方のビットを対象物に押し当てた状態で他方のビットをバネの引張力に抗して一方のビットから引き離し、所定距離から他方のビットを一方のビットにバネの力で打撃している。
【０００５】
この構成においては、ハンマー等の打撃用の工具を別途に用いる必要はないが、作業を両手で行うことに変りはない。また、両方のビットにそれぞれ異なる機能を有するもの、例えばポンチとたがねを採用しても、二つのビットの機能に限られていた。
【０００６】
本考案は上記した課題を解決するものであり、片手で作業を行うことができ、かつ各種の用途向けのビットを容易に交換することができ、打撃の力を調節することができるハンマーツールを提供することを目的とする。
【課題を解決するための手段】
【０００７】
上記した課題を解決するために、本考案のハンマーツールは、先端が用途毎に異なる形状をなす各種のビットと、ノズル部にビットを軸心方向へ出退自在に装着する本体胴と、ノズル部内でビットに嵌合してビットを着脱自在に保持するリング体と、ビットに当接して本体胴の軸心方向へ移動自在なガイドピンと、ガイドピンを本体胴の軸心位置に案内するブッシュと、ガイドピンを本体胴の軸心に対して傾斜する姿勢に保持するとともに、ガイドピンをブッシュから離間する方向に押圧するガイドバネと、ガイドピンに当接して本体胴の軸心方向へ移動自在で、軸心位置にガイドピンに遊嵌する打撃用孔を有するハンマーと、ハンマーをガイドピンに向けて打ち込む打撃用バネと、本体胴の内周面に螺合して本体胴の軸心方向へ往復移動し、打撃用バネの反力を受け止める調整ネジと、調整ネジに本体胴の軸心方向で摺動自在に嵌合して調整ネジを回転駆動する調整ネジ駆動バーと、調整ネジ駆動バーの一端を固定保持して本体胴に軸心回りで回転自在に、かつ軸心方向で抜け止め状態に装着したキャップとを備えたものである。
【０００８】
上記した構成により、対象物に例えばポンチ穴を打刻する場合には、先端がポンチ機能を有するビットをノズル部に先端開口から挿入して装着する。リング体は例えば一つ割りの環状体をなすＣ環リング等の弾性材からなり、ビットの外周に嵌合するリング体でビットの脱落を防止しながらノズル部がビットを軸心方向へ出退自在に保持する。ビットはリング体の締付力に抗して引抜くことでノズル部から容易に離脱でき、用途の異なる別のビットに容易に交換することができる。
【０００９】
ビットの先端を対象物に当接させた状態で本体胴を対象物に向けて押圧すると、本体胴が対象物に接近するのにしたがって、ガイドバネの押圧力に抗してビット、ガイドピンが本体胴に対して相対的に軸心方向へ後退する。このとき、本体胴の所定位置に配置したブッシュは一方端面でガイドバネの反力を受け止め、他方端面で打撃用バネに押圧されるハンマーを受け止める。
【００１０】
ガイドピンは、一方端部がビットに当接してガイドバネにより本体胴の軸心に対して傾斜する姿勢に保持された状態で後退し、後退に伴ってガイドバネを圧縮しながらブッシュを通過し、ブッシュを通過した他方端部が打撃用孔からずれた位置でハンマーの端面に当接する。
【００１１】
この状態でさらに本体胴を対象物に向けて押圧すると、ビット、ガイドピンおよびハンマーが一体的に後退して打撃用バネを圧縮し、ブッシュがガイドピンを本体胴の軸心位置へ向けて案内する。ブッシュがガイドピンの所定位置に達するとガイドピンがハンマーと同軸心状となり、ガイドピンがハンマーの打撃用孔に遊嵌し、打撃用バネの瞬発力でハンマーがガイドピンを介してビットを打撃し、ビットの先端が対象物に作用してポンチ穴等を形成する機能を発揮する。
【００１２】
打撃用バネの瞬発力は打撃用バネの反力を受け止める調整ネジの位置を変更することで調整する。この調整はキャップを本体胴の軸心回りに回転させ、調整ネジ駆動バーとともに調整ネジを回転させ、回転する調整ネジが本体胴の内周面に螺合しながら本体胴の軸心方向に移動することで行う。調整ネジはハンマーに接近するほどに予め打撃用バネに与える所与の圧縮率を高めて打撃用バネの瞬発力を増加させ、ハンマーから離間するほどに予め打撃用バネに与える所与の圧縮率を低めて打撃用バネの瞬発力を低減する。
【００１３】
キャップおよび駆動バーは本体胴の軸心方向において一定位置に留まる状態で軸心回りに回転し、調整ネジのみが駆動バーの軸心方向へ摺動するので、キャップを抜け止め状態に保持してキャップの脱落を防止できる。
【００１４】
ブッシュは本体胴とは別体であるので、ガイドピンの摺動に対して耐磨耗性に優れた材質を選択することで寿命を延ばすことができるとともに、容易にその交換を行うことができる。
【考案の効果】
【００１５】
本考案によれば、ノズル部がビットに嵌合するリング体で脱落を防止しながらビットを軸心方向へ出退自在に保持することで、ビットをノズル部に先端開口から挿入して装着し、その交換を容易に行うことができる。本体胴を対象物に向けて押圧し続けるだけで、打撃用バネを圧縮する工程と、打撃用バネの瞬発力でハンマーがガイドピンを介してビットを打撃する工程とが連続して生じるので、片手で作業を行うことができる。打撃用バネの瞬発力の調整はキャップを本体胴の軸心方向の一定位置に留まる状態で回転させて行うので、キャップを抜け止め状態に保持してキャップの脱落を防止できる。ブッシュを本体胴と別体とすることでガイドピンの摺動に対して耐磨耗性に優れた材質を選択でき、かつ容易にその交換を行うことができる。
【考案を実施するための最良の形態】
【００１６】
以下、本考案の実施の形態を図面に基づいて説明する。図１および図２において、ハンマーツールは先端が用途毎に異なる形状をなす各種のビット１を着脱自在に装着するものであり、ここでは先端の尖ったポンチ機能を有するポンチ用ビット１ａと釘頭を打撃するネイラー用ビット１ｂを例示するが、これらに限るものではない。
【００１７】
本体胴２は先端側にノズル部３を螺合によって装着しており、ノズル部３が先端開口４から挿入するビット１を軸心方向へ出退自在に保持している。ノズル部３は先端開口４の近傍位置の内周面に環状溝５を形成しており、環状溝５にリング体６を装着している。リング体６は、ビット１の外周に嵌合してビット１を着脱自在に保持しつつビット１の脱落を防止するもので、一つ割りの環状体をなすＣ環リング等の弾性材からなり、径が広がる方向に弾性変形してビット１に嵌合し、径が縮まる方向への弾性力によってビット１を締め付けて保持する。
【００１８】
また、ノズル部３にはビット１に当接するガイドピン７を軸心方向へ移動自在に配置しており、ガイドピン７はビット１に当接する一方側が大径部７ａをなし、他方側が小径部７ｂをなし、大径部７ａと小径部７ｂの間がテーパ部７ｃをなす。ガイドピン７にはガイドバネ８を傾斜させて装着しており、ガイドバネ８をノズル部３に同軸心状に配置する状態でガイドバネ８がガイドピン７を本体胴２の軸心に対して傾斜する姿勢に保持する。
【００１９】
ノズル部３の雄ネジ部９を螺合挿入する本体胴２の雌ネジ部１０の奥端にはブッシュ１１を配置し、ブッシュ１１を本体胴２の雌ネジ部１０の奥端に形成した段差部１２とノズル部３の雄ネジ部９の先端１３との間で挟持しており、ブッシュ１１がガイドバネ８の反力を受け止め、ガイドバネ８がガイドピン７をブッシュ１１から離間する方向に押圧する。
【００２０】
ブッシュ１１は本体胴２と同軸心状にガイド孔１４を有し、ガイド孔１４の周囲にテーパ状のガイド面１５を有している。ブッシュ１１はガイド面１５でガイドバネ８を受け止め、ガイドピン７の小径部７ｂがガイド孔１４を通過する間においてガイドピン７が本体胴２の軸心に対して傾斜する姿勢で移動することを許容し、ガイドピン７のテーパ部７ｃがガイド孔１４を通過する間にガイドピン７を本体胴２の軸心位置、つまり同軸心状の姿勢となるように案内する。
【００２１】
本体胴２の内部にはブッシュ１１の後方にハンマー１６を本体胴２の軸心方向へ移動自在に配置しており、ハンマー１６は軸心位置、つまり本体胴２と同軸心状に打撃用孔１７を有し、打撃用孔１７はガイドピン７の小径部７ｂに遊嵌する内径と所定深さを有している。
【００２２】
ハンマー１６の後方には打撃用バネ１８を配置しており、打撃用バネ１８は圧縮後の開放時にその瞬発力でハンマー１６をガイドピン７に向けて打ち込むものである。打撃用バネ１８の後方には打撃用バネ１８の反力を受け止める調整ネジ１９を配置しており、調整ネジ１９は本体胴２の内周面に形成した第２雌ネジ部２０に螺合して本体胴２の軸心方向へ往復移動する。
【００２３】
調整ネジ１９に形成した六角形の嵌合孔１９ａには六角形の調整ネジ駆動バー２１を挿通しており、調整ネジ駆動バー２１は嵌合孔１９ａに嵌合して調整ネジ１９を回転駆動し、調整ネジ１９を本体胴２の軸心方向に摺動自在に保持している。
【００２４】
本体胴２の基端にはキャップ２２を本体胴２の軸心回りに回転自在に装着しており、キャップ２２は調整ネジ駆動バー２１の一端を固定保持している。キャップ２２は開口近傍の内周面に環状の凹部２３を有しており、この凹部２３と本体胴２の外周面に形成した環状溝２４とに抜け止めリング２５が嵌合してキャップ２２を軸心方向で抜け止め状態に保持している。
【００２５】
以下、上記した構成における作用を説明する。図３および図４に示すように、対象物に例えばポンチ穴を打刻する場合には、先端がポンチ機能を有するポンチ用ビット１ａをノズル部３に先端開口４から挿入して装着する。装着したビット１はリング体６の締付力に抗して引抜くことでノズル部３から容易に離脱でき、用途の異なる別のビット１に容易に交換することができる。
【００２６】
図３の（ａ）に示すように、ビット１の先端を対象物に当接させた状態で本体胴２を対象物に向けて押圧すると、本体胴２が対象物に接近するのにしたがって、ガイドバネ８の押圧力に抗してビット１、ガイドピン７が本体胴２に対して相対的に軸心方向へ後退する。ガイドピン７は、一方端部がビット１に当接してガイドバネ８により本体胴２の軸心に対して傾斜する姿勢に保持された状態で後退し、後退に伴ってガイドバネ８を圧縮しながらブッシュ１１を通過し、ブッシュ１１を通過した他方端部の小径部７ｂが打撃用孔１７からずれた位置でハンマー１６の端面に当接する。
【００２７】
このとき、本体胴２の所定位置に配置したブッシュ１１は一方端面のガイド面１５でガイドバネ８の反力を受け止め、他方端面で打撃用バネ１８に押圧されるハンマー１６を受け止める。
【００２８】
この状態でさらに本体胴２を対象物に向けて押圧すると、図３の（ｂ）に示すように、ブッシュ１１はガイドピン７の小径部７ｂがガイド孔１４を通過する間においてガイドピン７を本体胴２の軸心に対して傾斜する姿勢で移動することを許容し、ビット１、ガイドピン７およびハンマー１６が一体的に後退して打撃用バネ１８を圧縮する。
【００２９】
さらに本体胴２を対象物に向けて押圧すると、図４の（ａ）に示すように、ブッシュ１１はガイドピン７のテーパ部７ｃおよび大径部７ａがガイド孔１４を通過する間においてガイドピン７を本体胴２の軸心位置へ向けて案内する。
【００３０】
図４の（ｂ）に示すように、ブッシュ１１がガイドピン７の所定位置に達するとガイドピン７がハンマー１６と同軸心状となり、ガイドピン７の小径部７ｂがハンマー１６の端面からはずれてハンマー１６の打撃用孔１７に遊嵌する。このとき、圧縮された状態の打撃用バネ１８の弾性力が急激に作用し、その瞬発力でハンマー１６が打撃用孔１７の底部でガイドピン７の小径部７ｂに衝突し、ガイドピン７を介してビット１を打撃し、ビット１の先端が対象物に作用してポンチ穴等を形成する機能を発揮する。
【００３１】
打撃用バネ１８の瞬発力は打撃用バネ１８の反力を受け止める調整ネジ１９の位置を変更することで調整する。この調整はキャップ２２を本体胴２の軸心回りに回転させ、調整ネジ駆動バー２１で調整ネジ１９を回転させ、回転する調整ネジ１９が本体胴２の内周面の第２雌ネジ部２０に螺合して調整ネジ駆動バー２１に摺動しながら本体胴２の軸心方向に移動することで行う。
【００３２】
調整ネジ１９はハンマー１６に接近するほどに予め打撃用バネ１８に与える所与の圧縮率を高めて打撃用バネ１８の瞬発力を増加させ、ハンマー１６から離間するほどに予め打撃用バネ１８に与える所与の圧縮率を低めて打撃用バネ１８の瞬発力を低減する。
【００３３】
キャップ２２は抜け止めリング２５で本体胴２に係合して本体胴２の軸心方向において一定位置に留まる状態で軸心回りに回転するので、調整ネジ１９のみが調整ネジ駆動バー２１の軸心方向へ摺動する。このため、キャップ２２はその回転によって本体胴２から離脱することがなく、常に抜け止め状態に保持されてその脱落が防止される。
【００３４】
ブッシュ１１は本体胴２とは別体であるので、ガイドピン７の摺動に対して耐磨耗性に優れた材質を選択することで寿命を延ばすことができるとともに、容易にその交換を行うことができる。
【図面の簡単な説明】
【００３５】
【図１】本考案の実施の形態におけるハンマーツールを示す断面図
【図２】同実施の形態におけるハンマーツールを示す分解斜視図
【図３】（ａ）、（ｂ）は同実施の形態におけるハンマーツールの動作を示す説明図
【図４】（ａ）、（ｂ）は同実施の形態におけるハンマーツールの動作を示す説明図
【符号の説明】
【００３６】
１    ビット
１ａ  ポンチ用ビット
１ｂ  ネイラー用ビット
２    本体胴
３    ノズル部
４    先端開口
５    環状溝
６    リング体
７    ガイドピン
７ａ  大径部
７ｂ  小径部
７ｃ  テーパ部
８    ガイドバネ
９    雄ネジ部
１０    雌ネジ部
１１    ブッシュ
１２    段差部
１３    先端
１４    ガイド孔
１５    ガイド面
１６    ハンマー
１７    打撃用孔
１８    打撃用バネ
１９    調整ネジ
１９ａ  嵌合孔
２０    第２雌ネジ部
２１    調整ネジ駆動バー
２２    キャップ
２３    凹部
２４    環状溝
２５    抜け止めリング
【図１】
0003121731.tif 000003
【図２】
0003121731.tif 000004
【図３】
0003121731.tif 000005
【図４】
0003121731.tif 000006